(57)【要約】      （修正有）【課題】クリップがクリップボードの隣接する二辺を摺動することができ、横方向縦方向のいずれの書類にも対応することができ、任意の位置にクリップを安定的に係止できるクリップボードを提供する。【解決手段】書類が載置される矩形状のボード２と、基台部と基台部に軸回転可能に設けられた押さえ部と押さえ部に押さえ力を付与する付勢手段とを有するクリップ３と、を備えるクリップボード１であって、ボードには、複数のラッチ孔を有するガイドレールが設けられ、基台部には、ガイドレールと係合可能な係合部が設けられ、クリップがガイドレールに沿ってボード上を摺動でき、基台部には、ガイドレールのラッチ孔と係合可能なラッチが設けられている。【選択図】図１
0003229992.tif 000002
【実用新案登録請求の範囲】
【請求項１】
書類が載置される矩形状のボードと、基台部と該基台部に軸回転可能に設けられた押さえ部と該押さえ部に押さえ力を付与する付勢手段とを有するクリップと、を備えるクリップボードであって、
前記ボードには、複数のラッチ孔を有するガイドレールが設けられており、前記基台部には、前記ガイドレールと係合可能な係合部が設けられており、前記クリップが前記ガイドレールに沿って前記ボード上を摺動でき、
前記基台部には、前記ガイドレールの前記ラッチ孔と係合可能なラッチが設けられていることを特徴とするクリップボード。
【請求項２】
前記ガイドレールは、前記ボードの隣接する二辺に沿って延伸する二本の直線状であることを特徴とする請求項１に記載のクリップボード。
【請求項３】
前記ガイドレールは、前記ボードの隣接する二辺に沿うＬ字状であることを特徴とする請求項１に記載のクリップボード。
【請求項４】
前記ガイドレールは、前記ボードの隣接する二辺に沿う略Ｌ字状であることを特徴とする請求項１に記載のクリップボード。
【請求項５】
前記ガイドレールは、凹状レールであることを特徴とする請求項１から４に記載のクリップボード。
【請求項６】
前記ガイドレールは、凸状レールであることを特徴とする請求項１から４に記載のクリップボード。
【考案の詳細な説明】
【技術分野】
【０００１】  本考案は、クリップボードに関し、より詳しくは、ボードの隣接する二辺に沿ってクリップを摺動させることができ、縦方向の書類及び横方向の書類にも対応することのできるクリップボードに関する。
【背景技術】
【０００２】  従来のクリップボードでは、書類を挟むためのクリップは通常、ボードの所定の位置に固定されていた。【０００３】  しかしながら実際の現場では、縦書きの書類や横書きの書類があるため、これらに合わせてクリップの位置を縦横任意の位置に移動できることが望ましい。【０００４】  特許文献１には、クリップに差し込み片を設け、該クリップの差し込み片をボードに設けられた長孔に差し込むことで、クリップをボードに対して取り外し自在に具備させたクリップボードが記載されている。【０００５】  特許文献２には、クリップボードの縦横の端辺に着脱可能且つ移動可能なクリップを有する移動式クリップボードが記載されている。
【先行技術文献】
【特許文献】
【０００６】
【特許文献１】特許第３１０４０１４号公報
【特許文献】
【０００６】
【特許文献２】実用新案登録第３１８７１８７号公報
【考案の概要】
【本願が解決しようとする課題】
【０００７】  しかしながら特許文献１のクリップボードでは、クリップの位置がボードの長孔に固定されてしまい、クリップをボードの端辺の任意の位置に取り付けることができなかった。
【０００８】  また、特許文献２のクリップボードでは、クリップを縦方向横方向の任意の位置に移動させることはできるものの、使用中クリップの位置がずれやすく、また書類を抜き差しする時にクリップに力をかけて押さえ部を開閉すると、凸状レールからクリップが脱離しやすいという問題点があった。
【０００９】  そこで、本考案は、クリップがクリップボードの隣接する二辺を摺動することができ、横方向縦方向のいずれの書類にも対応することができ、任意の位置にクリップを安定的に係止できるクリップボードを提供することを目的とする。
【課題を解決するための手段】
【００１０】  本考案に係るクリップボードは、
書類が載置される矩形状のボードと、
基台部と該基台部に軸回転可能に設けられた押さえ部と該押さえ部に押さえ力を付与する付勢手段とを有するクリップと、
を備えるクリップボードであって、
前記ボードには、複数のラッチ孔を有するガイドレールが設けられており、
前記基台部には、前記ガイドレールと係合可能な係合部が設けられており、前記クリップが前記ガイドレールに沿って前記ボード上を摺動でき、
前記基台部には、前記ガイドレールの前記ラッチ孔と係合可能なラッチが設けられていることを特徴とする。
【００１１】  前記ガイドレールは、前記ボードの隣接する二辺に沿って延伸する二本の直線状であるようにしてもよい。
【００１２】  前記ガイドレールは、前記ボードの隣接する二辺に沿うＬ字状であるようにしてもよい。
【００１３】  前記ガイドレールは、前記ボードの隣接する二辺に沿う略Ｌ字状であるようにしてもよい。
【００１４】  前記ガイドレールは、凹状レールであるようにしてもよい。
【００１５】  前記ガイドレールは、凸状レールであるようにしてもよい。
【考案の効果】
【００１６】  本考案のクリップボードでは、ボードの表面には隣接する辺に沿って延在するガイドレールが設けられ、また、クリップの基台部には、係合部が設けられており、ガイドレールと係合する。
【００１７】  これにより、ガイドレールと係合したクリップは、ボードの隣接する辺に沿ってボード上を摺動することができる。
【００１８】  本考案のクリップボードでは、クリップの基台部にラッチが設けらており、ガイドレールに設けられたラッチ孔と係合し、クリップを任意の位置に安定的に係止することができる。
【００１９】  よって、本考案によれば、ボードの隣接する二辺に沿うレール上の任意の位置にクリップを移動させることができるため、縦方向及び横方向のいずれの書類にも対応でき、ラッチ機構を有することによりクリップがずれたり脱離したりすることのないクリップボードを提供することができる。
【図面の簡単な説明】
【００２０】
【図１】本考案の実施形態に係るクリップボード１の使用態様を表す図であって、（ａ）は縦に使用する場合の図であり、（ｂ）は横に使用する場合の図である。
【図２】（ａ）はクリップボード１の平面図であり、（ｂ）はクリップボード１の断面図である。
【図３】クリップボード１のクリップ３の側面図である。
【図４】本考案の異なる実施形態に係るクリップボード１‘の使用態様を表す図であって、（ａ）は縦に使用する場合の図であり、（ｂ）は横に使用する場合の図であり、（ｃ）はクリップボード１’の断面の一部を示す図である。。
【図５】クリップボード１‘のクリップ３’の側面図である。
【図６】ガイドレール４‘の変形態様を示す図である。
【考案を実施するための形態】
【００２０】  以下、図面を参照しながら、本考案の実施形態について説明する。なお、各図において同等の機能を有する構成要素には同一の符号を付し、同一符号の構成要素の詳しい説明は繰り返さない。
【００２１】  図１は、本考案の実施形態に係るクリップボード１の使用態様を説明するための図を示している。図１に示すように、クリップボード１は、書類が載置されるボード２と書類を挟み込むクリップ３とを備えている。
【００２２】  クリップ３は、図１（ａ）に示すように、ボード２の右側の辺及び上側の辺に沿って設けられたガイドレール４を摺動可能である。
【００２３】  次に、クリップボード１の詳細な構成について説明する。
【００２４】  まず、クリップボード１のボード２の詳細構成を図２を参照して説明するに、ボード２には、隣接する二辺にそって延伸する凸状のガイドレール４が二本設けられている。各ガイドレール４には、クリップ３を係止するためのラッチ孔５が複数設けられている。
【００２５】  次に図３を参照するに、クリップ３は各ガイド４の開放端部から挿入することができ、クリップ３の基台部６に設けられた係合部７がガイド４と係合しつつ摺動することができ、また当該基台部６に設けられたラッチ９がガイドレール４に設けられたラッチ孔５と係合することにより、クリップ３を所望の位置に安定的に係止することができる。
【００２６】  ボード２の平面サイズは、例えば、Ａ４用サイズ（２５０ｍｍ×３２０ｍｍ）、またはＢ４用サイズ（２３０ｍｍ×２９０ｍｍ）である。また、ボード２の厚み（ガイドレール４を含まない。）は例えば、２ｍｍである。
【００２７】  次にクリップ３について図３を参照しつつ説明する。クリップ３は、基台部６と押さえ部８と付勢手段１０とからなり、基台部６には、上記のようにガイドレール４に係合する係合部７と、ガイドレール４に設けられたラッチ孔５に係合するラッチ９が設けられている。
【００２８】  図２（ｃ）に示すようにガイドレール４の基部には、長手方向に沿って溝１１が設けられており、係合部７の両脚部に対向して設けられた爪１２と係合する。
【００２９】  これらの構成によりクリップ３を縦方向横方向に摺動させつつラッチ機構により所望の位置に安定的にクリップを係止できる。
【００３０】  なお特に図面には表さないが、ガイドレール４を凹状レールとし、係止部７を当該凹状ガイドレールに陥入させる構造としてもよい。
【００３１】  次に図４を用いて本考案の異なる実施態様について説明する。
【００３２】  図４は、本考案の異なる実施形態に係るクリップボード１’の使用態様である。図４に示すように、クリップボード１’は、書類が載置されるボード２’と書類を挟み込むクリップ３’とを備えている。
【００３３】  ボード２’には、隣接する二辺にそって延伸するＬ字状の凹状ガイドレール４’が設けられている。凹状のガイドレール４’には、クリップ３’を係止するためのラッチ孔５’が複数設けられている。
【００３４】  クリップ３’について図５を参照して説明する。クリップ３‘は、基台部６’に設けられた係合部７’がガイドレール４に陥入して係合しており、ボード２’を縦方向及び横方向に摺動することができる。また当該基台部６’に設けられたラッチ９’がガイドレール４’に設けられたラッチ孔５’に係合することによりクリップ３’を所望の位置に安定的に係止することができる。
【００３５】  ボード２‘の平面サイズは、例えば、Ａ４用サイズ（２５０ｍｍ×３２０ｍｍ）、またはＢ４用サイズ（２３０ｍｍ×２９０ｍｍ）である。また、ボード２’の厚み（ガイドレール４‘を含まない。）は例えば、２ｍｍである。
【００３６】  次にクリップ３’について図５を参照しつつ説明する。クリップ３’は、基台部６’と押さえ部８’と付勢手段１０’とからなり、基台部６’には、上記のようにガイドレール４‘に係合する係合部７’と、ガイドレール４’に設けられたラッチ孔５’に係合するラッチ９’が設けられている。
【００３７】  図４（ｃ）が示すようにガイドレール４‘の基部には、長手方向に沿って溝１１’が設けられており、係合部７‘の脚部に設けられた爪１２と係合する。
【００３８】  これらの構成によりクリップ３’を縦方向横方向に摺動させつつラッチ機構により安定的にクリップ３’を係止することができる。
【００３９】  なお図６の（ａ）及び（ｂ）に示すように、ガイドレール４’の角部を円弧上にするなど略Ｌ字状にして、クリップ３‘がガイドレール４’をスムーズに摺動できるようにすることも可能である。
【００４０】  上記の記載に基づいて、当業者であれば、本考案の追加の効果や種々の変形を想到できるかもしれないが、本考案の態様は、上述した実施形態に限定されるものではない。実用新案登録請求の範囲に規定された内容及びその均等物から導き出される本考案の概念的な思想と趣旨を逸脱しない範囲で種々の追加、変更及び部分的削除が可能である。
【符号の説明】
【００４１】１、１’    クリップボード
２、２’    ボード
３、３’    クリップ
４、４’    ガイドレール
５、５’    ラッチ孔
６、６’    基台部
７、７’    係合部
８、８’    押さえ部
９、９’    ラッチ
１０、１０’  付勢手段
１１、１１’  溝
１２、１２‘  爪
【図１】
0003229992.tif 000003
【図２】
0003229992.tif 000004
【図３】
0003229992.tif 000005
【図４】
0003229992.tif 000006
【図５】
0003229992.tif 000007
【図６】
0003229992.tif 000008